【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に配置されて眼を照明する光源と、
光軸と視野を有する光学的な撮像システムであって、
前記眼を受け入れる為の前凹面を備える光学窓と、
前記光学窓の後方に配置され且つ前記光軸に沿って前記光学窓と光学的に整列された撮像レンズを含む、光学的な撮像システムと、
前記光学窓の周辺部分の後ろ側に位置決めされた光調整素子であって、
中空且つ円錐台形状の固体材料と、
前面と、
背面と、
前記撮像レンズの側面の周りに当該撮像レンズの側面から３．０ｍｍ未満の距離だけ離間して配置された内側面と、
外側面とを含み、
前記内側面と前記外側面の少なくとも一方がマルチセグメント面を含み、
前記光源から光を受け且つ前記光を前記眼の方向に向けるように構成された、光調整素子と、
前記光学的撮像システムから前記眼の像を受信するように配置された、前記ハウジング内にある画像センサーと、
を含む眼撮像装置。
【請求項２】
前記内側面と前記外側面との間に配置された光チャンネルを含み、前記光チャンネルは前記前面に内縁及び外縁を有する、
請求項１に記載の眼撮像装置。
【請求項３】
前記内側面と前記撮像レンズの前記側面との間に配置された光チャンネルを含み、前記光チャンネルは前記側面の前端に内縁及び外縁を有する、
請求項１に記載の眼撮像装置。
【請求項４】
前記光調整素子の前記内側面と前記撮像レンズの前記側面との間に配置された第１の光チャンネルを含み、前記第１の光チャンネルは前記側面の前端に内縁を有し、
前記光調整素子の前記内側面と前記光調整素子の前記外側面との間に配置された第２の光チャンネルを含み、前記第２の光チャンネルは前記外側面の前端に外縁を有する、
請求項１に記載の眼撮像装置。
【請求項５】
前記光調整素子が、前記光源から光を受け、前記内縁の近くに存在する前記光の第１の部分の５０％超を前記眼の網膜の第１の領域に向けるように構成されており、
前記第１の領域は、前記撮像システムの前記視野の約３分の１を有すると共に、前記光軸を有し、
前記光調整素子は、前記外縁の近くに存在する前記光の第２の部分の５０％超を前記眼の網膜の第２の領域に向けるように構成されており、
前記第２の領域は、前記光軸から前記撮像システムの前記視野の約３分の２よりも遠く、前記外縁に対して前記光軸の反対側に位置している、
請求項２から４のいずれか一項に記載の眼撮像装置。
【請求項６】
前記光調整素子が、前記光源から光を受け、前記内縁の近くに存在する前記光の第１の部分の５０％超を方向付けて、前記光軸に対して＋１０度〜−３０度の第１の角度で伝搬し、前記外縁の近くに存在する前記光の第２の部分の５０％超を方向付けて、前記光軸に対して−３０度〜−９０度の第２の角度で伝搬するように構成されている、
請求項２から４のいずれか一項に記載の眼撮像装置。
【請求項７】
前記光調整素子の各断面が、複数の障壁から離れて配置された複数のセクションを含んでおり、前記複数の障壁が半径方向に存在している、
請求項１に記載の眼撮像装置。
【請求項８】
少なくとも第１のリレーレンズ及び第２のリレーレンズと、前記少なくとも第１のリレーレンズ及び第２のリレーレンズから受けた光に基づいて前記眼の像を形成するように構成された少なくとも１つのミニチュアレンズとを含み、
前記画像センサーは、前記少なくとも１つのミニチュアレンズによって形成された前記眼の像を受けるように構成されたミニチュア画像センサーを含み、
前記眼撮像装置が前記眼の後眼部を撮像するために使用された際、前記少なくとも１つのミニチュアレンズにおける光開口の実像が、前記眼の水晶体の前方面の近くに形成される、
請求項１に記載の眼撮像装置。
【請求項９】
前記像を受けて伝送するように構成された、前記ハウジング内にある計算・通信ユニットを含む、
請求項１に記載の眼撮像装置。
【請求項１０】
前記計算・通信ユニットは、前記像を表示するように構成されたタッチスクリーンディスプレイを含む、
請求項９に記載の眼撮像装置。
【請求項１１】
前記光源は、複数の発光素子を含み、
前記複数の発光素子は、眼の異なる部分を時間的に順次に照らすように構成されており、
前記画像センサーは、前記眼の各部分が時間的に順次に照らされている間、前記撮像システムを介して前記眼における同じ視野の複数の像を受けるように構成されている、
請求項１に記載の眼撮像装置。
【請求項１２】
画像処理ユニットを含み、
前記画像処理ユニットは、前記複数の像から前記眼の合成イメージを生成するように構成されている、
請求項１に記載の眼撮像装置。
【請求項１３】
前記ハウジングは、前端と内面を含み、
前記内面は、アライメント縁及びリザバー縁を含み、
前記アライメント縁及び前記リザバー縁は、前記前端に配置されており、
前記光学窓は、前記アライメント縁から第１の間隙を隔てており、
前記光学窓は、前記リザバー縁から前記第１の間隙より大きい第２の間隙を隔てており、
前記第２の間隙は、シーリング材料のリザバーとなるように構成されている、
請求項１に記載の眼撮像装置。
【請求項１４】
前記内面は、前記第２の間隙よりわずかに大きい直径の複数のボアを含み、
前記複数のボアは、前記第２の間隙を拡大させるように配置されており、
前記ハウジングは、複数の玉を含み、
前記複数の玉は、前記複数のボアの中に配置されている、
請求項１３に記載の眼撮像装置。
【請求項１５】
前記光学窓、前記撮像レンズ、及び前記光調整素子は、取り外し可能な前側撮像モジュールの中に配置されており、
前記取り外し可能な前側撮像モジュールは、前端、後端、及び前記光学窓と前記前端の間の第１の密閉シールを含み、
前記第１の密閉シールは、第１の密閉シーリング材料で満たされており、
前記取り外し可能な前側撮像モジュールは、前記後端に第２の光学窓を含むと共に、前記第２の光学窓と前記後端の間に第２の密閉シールを含み、
前記第２の密閉シールは、第２の密閉シーリング材料で満たされており、
前記画像センサーは、主モジュールの中に配置されており、
前記取り外し可能な前側撮像モジュールは、前記主モジュールに対して繰り返し取り付けたり取り外されたりすることが可能である、
請求項１３に記載の眼撮像装置。
【手続補正２】
【補正対象書類名】明細書
【補正対象項目名】０１２７
【補正方法】変更
【補正の内容】
【０１２７】
本発明を例示的な実施形態において開示したが、当業者は、本発明の範囲から逸脱せずに、開示の実施形態に対する多くの追加、省略及び修正、及びその変形が実装され得ることを認識及び理解する。
〔付記１〕
ハウジングと；
前記ハウジング内に配置されて眼を照明する光源と；
光学的撮像システムであって：
前記ハウジングの前端にある、前記眼を受け入れる為の前凹面を備える光学窓；
前記光学窓の後方に配置され且つ光学的な撮像経路に沿って前記光学窓と光学的に整列された撮像レンズ
を含み、光軸を有する光学的撮像システムと；
前記光学窓の周辺部分の後ろ側に位置決めされ、前記光源から光を受け且つ前記光を前記眼の方向に向けるように構成された少なくとも１つのマルチセグメント面を含む、前記ハウジング内にある光調整素子と；
前記光学的撮像システムから前記眼の像を受信するように配置された、前記ハウジング内にある画像センサーと
を含む眼撮像装置。
〔付記２〕
前記光学窓の前記前凹面の曲率半径が、ヒトの前記眼の角膜の曲率半径に厳密に一致する、付記１に記載の眼撮像装置。
〔付記３〕
前記光学窓の前記前凹面の曲率半径が５ｍｍ〜１６ｍｍである、付記１に記載の眼撮像装置。
〔付記４〕
前記光学窓が、開口部が形成された中心部を有し、及び前記撮像レンズの一部分が前記開口部に配置されている、付記１に記載の眼撮像装置。
〔付記５〕
前記光調整素子が、前面、後面、内面及び外面を含み、前記内面は、前記外面よりも前記撮像レンズに近く、及び前記内面は前記マルチセグメント面を含む、付記１に記載の眼撮像装置。
〔付記６〕
前記光調整素子が、前面、後面、内側面及び外側面を含み、前記内面が前記外面よりも前記撮像レンズに近く、及び前記外側面が前記マルチセグメント面を含む、付記１に記載の眼撮像装置。
〔付記７〕
前記光調整素子が中空のリング状本体を含む、付記１に記載の眼撮像装置。
〔付記８〕
前記光調整素子が、前面、後面、内側面及び外側面を含む、中空且つ円錐台形状の本体を含み、前記内側面及び前記外側面の少なくとも一方がマルチセグメント面を含む、付記１に記載の眼撮像装置。
〔付記９〕
前記光調整素子が内側面及び外側面を含み、前記内側面が、前記撮像レンズの周りに且つそれから３．０ｍｍ未満の距離だけ離間して配置され、前記眼撮像装置は、前記撮像レンズの前記内側面と前記側面との間に配置された中空の光チャンネルを含み、前記内側面は前記マルチセグメント面を含む、付記１に記載の眼撮像装置。
〔付記１０〕
前記光調整素子が、内側面及び外側面に光透過性材料を含み、前記眼撮像装置は、前記内側面と前記外側面との間に配置された内部光チャンネルを含み、前記内側面及び前記外側面は、少なくとも１つのマルチセグメント面を含む、付記１に記載の眼撮像装置。
〔付記１１〕
前記光調整素子が、内側面及び外側面に光透過性材料を含み、前記内側面は、前記撮像レンズの周りに且つそれから１．０ｍｍ未満の距離だけ離間して配置され、前記眼撮像装置は、（ｉ）前記内側面と前記撮像レンズとの間に配置された中空の外部光チャンネル、及び（ｉｉ）前記内側面と前記外側面との間に配置された内部光チャンネルを含み、前記内側面は前記マルチセグメント面を含む、付記１に記載の眼撮像装置。
〔付記１２〕
前記光調整素子が、少なくとも１つの間隙によって離間された複数のセクションを含む、付記１に記載の眼撮像装置。
〔付記１３〕
前記光調整素子の前記マルチセグメント面が反射セグメントを含む、付記１に記載の眼撮像装置。
〔付記１４〕
前記マルチセグメント面が実質的に鏡面反射面である、付記１に記載の眼撮像装置。
〔付記１５〕
前記光調整素子が、前記光調整素子の前面に内縁及び外縁を有する光チャンネルを含み、前記光調整素子は、前記光チャンネルの前記内縁から射出する前記光のほとんどを、前記光学的撮像システムの光軸を含む前記眼の網膜の第１の領域の方向に向けるように構成され、前記第１の領域は、前記光学的撮像システムの前記視野の３分の１を含む、付記１に記載の眼撮像装置。
〔付記１６〕
前記光調整素子が、前記光チャンネルの前記内縁から射出する前記光の７０％超を前記眼の網膜の前記第１の領域の方向に向けるように構成されている、付記１５に記載の眼撮像装置。
〔付記１７〕
前記光調整素子が、前記光チャンネルの前記内縁から射出する前記光の８０％超を網膜の前記第１の領域の方向に向けるように構成されている、付記１５に記載の眼撮像装置。
〔付記１８〕
前記光調整素子が、前記光調整素子の前面に内縁及び外縁を有する光チャンネルを含み、前記光調整素子は、前記光チャンネルの前記外縁から射出する前記光のほとんどを、前記光軸から離れ且つ前記光チャンネルの前記外縁から前記光軸の反対側にある前記眼の網膜の第２の領域の方向に向けるように構成され、前記第２の領域は、前記光軸から、前記撮像システムの前記視野の３分の２よりも遠い、付記１に記載の眼撮像装置。
〔付記１９〕
前記光調整素子が、前記光チャンネルの前記外縁から射出する前記光の７０％超を網膜の前記第２の領域の方向に向けるように構成されている、付記１８に記載の眼撮像装置。
〔付記２０〕
前記光調整素子が、前面に内縁及び外縁を備える光チャンネルを含み、前記光調整素子が、前記光チャンネルの前記内縁から射出する前記光のほとんどを方向付けて、前記光学的撮像システムの光軸に対して＋１０度〜−３０度の第１の角度で伝搬するように構成されている、付記１に記載の眼撮像装置。
〔付記２１〕
前記光調整素子が、前面に内縁及び外縁を備える光チャンネルを含み、前記光調整素子が、前記光チャンネルの前記内縁から射出する前記光の７０％超を方向付けて、前記光学的撮像システムの光軸に対して＋１０度〜−３０度の第１の角度で伝搬するように構成されている、付記１に記載の眼撮像装置。
〔付記２２〕
前記光調整素子が、前面に内縁及び外縁を備える光チャンネルを含み、前記光調整素子は、前記光チャンネルの前記内縁から射出する前記光の８０％超を方向付けて、前記光学的撮像システムの光軸に対して＋１０度〜−３０度の第１の角度で伝搬するように構成されている、付記１に記載の眼撮像装置。
〔付記２３〕
前記光調整素子が、前面に内縁及び外縁を備える光チャンネルを含み、前記光調整素子は、前記光チャンネルの前記外縁から射出する前記光のほとんどを、前記光軸に対して−３０度〜−９０度の第２の角度で方向付けるように構成されている、付記１に記載の眼撮像装置。
〔付記２４〕
前記光調整素子が、前面に内縁及び外縁を備える光チャンネルを含み、前記光調整素子は、前記光チャンネルの前記外縁から射出する前記光の７０％を、前記光軸に対して−３０度〜−９０度の第２の角度で方向付けるように構成されている、付記１に記載の眼撮像装置。
〔付記２５〕
前記光調整素子が、前記光調整素子から射出する前記光の実質的に全てを、前記光学的撮像システムの入射瞳の外側に向けるように構成されている、付記１に記載の眼撮像装置。
〔付記２６〕
前記光調整素子が、光の２０％未満を、前記光学的撮像システムの前記光軸から２ｍｍの距離以内で前記光学窓の前記前凹面に入射させるように、構成されている、付記１に記載の眼撮像装置。
〔付記２７〕
前記光調整素子が、光の１５％未満を、前記光学的撮像システムの前記光軸から２ｍｍの距離以内で前記光学窓の前記前凹面に入射させるように、構成されている、付記１に記載の眼撮像装置。
〔付記２８〕
前記光調整素子が、光の１０％未満を、前記光学的撮像システムの前記光軸から２ｍｍの距離以内で前記光学窓の前記前凹面に入射させるように、構成されている、付記１に記載の眼撮像装置。
〔付記２９〕
前記撮像レンズが、光吸収層で被覆された側面を有する、付記１に記載の眼撮像装置。
〔付記３０〕
前記光学窓が、光学的に透明な屈折率整合ゲルの薄層によって、前記角膜から離されている、付記１に記載の眼撮像装置。
〔付記３１〕
前屈折率整合ゲルの粘度が１００センチポアズを上回る、付記３０に記載の眼撮像装置。
〔付記３２〕
前記眼撮像装置が後眼部を撮像するように構成されている、付記１に記載の眼撮像装置。
〔付記３３〕
前記眼撮像装置が前眼部を撮像できる、付記１に記載の眼撮像装置。
〔付記３４〕
前記光学的撮像システムが、第１のリレーレンズと、第２のリレーレンズと、前記リレーレンズからの像を前記画像センサーに送るように構成された５ｍｍ未満の開口を有する少なくとも１つのミニチュアレンズとをさらに含む、付記１に記載の眼撮像装置。
〔付記３５〕
前記少なくとも１つのミニチュアレンズが複数のミニチュアレンズを含み、及び前記光学的撮像システムの開口絞りが前記ミニチュアレンズ間に配置されている、付記３４に記載の眼撮像装置。
〔付記３６〕
前記光学的撮像システムの開口絞りが、前記少なくとも１つのミニチュアレンズの前に位置決めされている、付記３４に記載の眼撮像装置。
〔付記３７〕
前記光学的撮像システムの有効焦点距離が、前記少なくとも１つのミニチュアレンズの位置を前記画像センサーに対して変更することによって、調整される、付記３４に記載の眼撮像装置。
〔付記３８〕
前記少なくとも１つのミニチュアレンズが複数のミニチュアレンズを含み、及び前記光学的撮像システムの倍率が、前記複数のミニチュアレンズのうちの少なくとも１つの位置を前記複数のミニチュアレンズのうちの別のものに対して変更することによって、調整される、付記３４に記載の眼撮像装置。
〔付記３９〕
前記光源が固体状態の線状の発光光源を含む、付記１に記載の眼撮像装置。
〔付記４０〕
前記光源が、リング状の空間的に連続した光源を含む、付記３９に記載の眼撮像装置。
〔付記４１〕
前記光源が複数の発光素子を含む、付記１に記載の眼撮像装置。
〔付記４２〕
前記複数の発光素子が、リング状の固定具上に空間的に分布されている、付記４１に記載の眼撮像装置。
〔付記４３〕
前記複数の発光素子を個別に作動させることができる、付記４１に記載の眼撮像装置。
〔付記４４〕
前記光源を連続的に作動させることができる、付記１に記載の眼撮像装置。
〔付記４５〕
前記画像センサーのシャッターが開放しているとき、前記光源を作動させることができる、付記１に記載の眼撮像装置。
〔付記４６〕
前記光源が、前記光調整素子に対して直接位置決めされている、付記１に記載の眼撮像装置。
〔付記４７〕
前記光源と前記光調整素子との間に位置決めされ、前記光源からの光を前記光調整素子の方向に向けるように構成された複数の光ファイバーをさらに含む、付記１に記載の眼撮像装置。
〔付記４８〕
前記光源と前記光調整素子との間に位置決めされ、前記光源からの光を前記光調整素子の方向に向けるように構成された複数の照明素子をさらに含む、付記１に記載の眼撮像装置。
〔付記４９〕
前記光学窓、前記撮像レンズ及び前記光調整素子が、取り外し可能な前側撮像モジュール内に位置決めされ、前記画像センサーが主モジュール内に位置決めされ、及び前記取り外し可能な前側撮像モジュールが、前記主モジュールに繰り返し取り付けたりそこから取り外したりできる、付記１に記載の眼撮像装置。
〔付記５０〕
前記光源が、前記前側撮像モジュール内に位置決めされ、且つ前記前側撮像モジュールと前記主モジュールとの間の電気コネクターを介して電気的に駆動される、付記４９に記載の眼撮像装置。
〔付記５１〕
前記光源が前記主モジュール内に位置決めされ、前記取り外し可能な前側撮像モジュールが、前記光源からの光を前記光調整素子に光学的に結合するように構成された複数の照明素子をさらに含む、付記４９に記載の眼撮像装置。
〔付記５２〕
画像を一時的に記憶するように構成されたメモリと、前記画像を受信且つ送信するように構成された計算・通信ユニットとをさらに含む、付記１に記載の眼撮像装置。
〔付記５３〕
ハウジングと；
前記ハウジングの前端の光学窓と；
前記光学窓の周辺部分の後ろ側に位置決めされ、光源から光を受け且つ光を眼の方向に向けるように構成された、少なくとも１つのマルチセグメント面を含む光調整素子と
を含む、眼撮像装置。
〔付記５４〕
前記光調整素子が、前面、後面、中心軸、内側面及び外側面を含む、中空且つ円錐台形状の本体を有し、前記内側面及び前記外側面が少なくとも１つのマルチセグメント面を含む、付記５３に記載の眼撮像装置。
〔付記５５〕
前記光調整素子が、内側面及び外側面に光透過性材料を含み、前記光調整素子が、前記内側面と前記外側面との間に配置された内部光チャンネルを含み、前記内側面及び前記外側面が少なくとも１つのマルチセグメント面を含む、付記５３に記載の眼撮像装置。
〔付記５６〕
前記光調整素子が、少なくとも１つの間隙によって分けられた複数のセクションを含む、付記５３に記載の眼撮像装置。
〔付記５７〕
前記光調整素子の前記マルチセグメント面が反射セグメントを含む、付記５３に記載の眼撮像装置。
〔付記５８〕
前記光調整素子が、前記光調整素子の前面に内縁及び外縁を備える光チャンネルを含み、前記光調整素子が、前記光チャンネルの前記内縁から射出する前記光のほとんどを、前記光学的撮像システムの光軸を含む前記眼の網膜の第１の領域の方向に向けるように構成されており、前記第１の領域は、前記光学的撮像システムの前記視野の３分の１を含む、付記５３に記載の眼撮像装置。
〔付記５９〕
前記光調整素子が、前記光チャンネルの前記内縁から射出する光の７０％超を、前記眼の網膜の前記第１の領域の方向に向けるように構成されている、付記５８に記載の眼撮像装置。
〔付記６０〕
前記光調整素子が、前記光チャンネルの前記内縁から射出する光の８０％超を前記眼の網膜の前記第１の領域の方向に向けるように構成されている、付記５８に記載の眼撮像装置。
〔付記６１〕
前記光調整素子が、前記光調整素子の前面に内縁及び外縁を備える光チャンネルを含み、前記光調整素子が、前記光チャンネルの前記外縁から射出する光のほとんどを、前記光軸から離れ且つ前記光チャンネルの前記外縁から前記光軸の反対側にある前記眼の網膜の第２の領域の方向に向けるように構成されており、前記第２の領域は、前記光軸から、前記撮像システムの前記視野の３分の２よりも遠い、付記５３に記載の眼撮像装置。
〔付記６２〕
前記光調整素子が、前記光チャンネルの前記外縁から射出する光の７０％超を、前記眼の網膜の前記第２の領域の方向に向けるように構成されている、付記６１に記載の眼撮像装置。
〔付記６３〕
前記光調整素子が、前面に内縁及び外縁を備える光チャンネルを含み、前記光調整素子が、前記光チャンネルの前記内縁から射出する光のほとんどを方向付けて、前記光調整素子の中心軸に対して＋１０度〜−３０度の第１の角度で伝搬するように構成されている、付記５３に記載の眼撮像装置。
〔付記６４〕
前記光調整素子が、前面に内縁及び外縁を備える光チャンネルを含み、前記光調整素子が、前記光チャンネルの前記内縁から射出する光の７０％超を方向付けて、前記光調整素子の中心軸に対して＋１０度〜−３０度の第１の角度で伝搬するように構成されている、付記５３に記載の眼撮像装置。
〔付記６５〕
前記光調整素子が、前面に内縁及び外縁を備える光チャンネルを含み、前記光調整素子が、前記光チャンネルの前記内縁から射出する光の８０％超を方向付けて、前記光調整素子の中心軸に対して＋１０度〜−３０度の第１の角度で伝搬するように構成されている、付記５３に記載の眼撮像装置。
〔付記６６〕
前記光調整素子が、前面に内縁及び外縁を備える光チャンネルを含み、前記光調整素子が、前記光チャンネルの前記外縁から射出する光のほとんどを、前記光調整素子の中心軸に対して−３０度〜−９０度の第２の角度で方向付けるように構成されている、付記５３に記載の眼撮像装置。
〔付記６７〕
前記光調整素子が、前面に内縁及び外縁を備える光チャンネルを含み、前記光調整素子が、前記光チャンネルの前記外縁から射出する光の７０％超を、前記光調整素子の中心軸に対して−３０度〜−９０度の第２の角度で方向付けるように構成されている、付記５３に記載の眼撮像装置。
〔付記６８〕
前記光調整素子が、光の１５％未満を、前記光学的撮像システムの前記光軸から２ｍｍの距離以内で前記光学窓の前記前凹面に入射させるように、構成されている、付記５３に記載の眼撮像装置。
〔付記６９〕
前記光学窓の前記前凹面の曲率半径が、ヒトの前記眼の角膜の曲率半径に厳密に一致する、付記５３に記載の眼撮像装置。
〔付記７０〕
前記光学窓の前記前凹面の曲率半径が５ｍｍ〜１６ｍｍである、付記５３に記載の眼撮像装置。
〔付記７１〕
前面、後面、内側面及び外側面を有する本体を含む、身体検査において解剖学的特徴を照明する為の眼撮像装置用の光調整素子であって、前記内側面及び前記外側面は少なくとも１つのマルチセグメント面を含み、前記光調整素子は、光源から光を受け且つ光を眼の方向に向けるように構成されている、光調整素子。
〔付記７２〕
前記本体が、中空且つ円錐台形状の本体を備える光透過性材料を含む、付記７１に記載の光調整素子。
〔付記７３〕
前記本体が、光透過性材料、及び前記内側面と前記外側面との間に配置された内部光チャンネルを含む、付記７１に記載の光調整素子。
〔付記７４〕
前記本体が、少なくとも１つの間隙によって分けられた複数のセクションを含む、付記７１に記載の光調整素子。
〔付記７５〕
前記光調整素子の前記マルチセグメント面が反射セグメント及び屈折セグメントを含む、付記７１に記載の光調整素子。
〔付記７６〕
前記光調整素子が、前記光調整素子の前面に内縁及び外縁を備える光チャンネルを含み、前記光調整素子が、前記光チャンネルの前記内縁から射出する光のほとんどを、前記光学的撮像システムの光軸を含む前記眼の網膜の第１の領域の方向に向けるように構成され、前記第１の領域が、前記光学的撮像システムの前記視野の３分の１を含む、付記７１に記載の光調整素子。
〔付記７７〕
前記光調整素子が、前記光チャンネルの前記内縁から射出する光の７０％超を、前記眼の網膜の前記第１の領域の方向に向けるように構成されている、付記７６に記載の光調整素子。
〔付記７８〕
前記光調整素子が、前記光チャンネルの前記内縁から射出する光の８０％超を、前記眼の網膜の前記第１の領域の方向に向けるように構成されている、付記７６に記載の光調整素子。
〔付記７９〕
前記光調整素子が、前記光調整素子の前面に内縁及び外縁を備える光チャンネルを含み、前記光調整素子が、前記光チャンネルの前記外縁から射出する光のほとんどを、前記光軸から離れ且つ前記光チャンネルの前記外縁から前記光軸の反対側にある前記眼の網膜の第２の領域の方向に向けるように構成され、前記第２の領域は、前記光軸から、前記撮像システムの前記視野の３分の２よりも遠い、付記７１に記載の光調整素子。
〔付記８０〕
前記光調整素子が、前記光チャンネルの前記外縁から射出する光の７０％超を、前記眼の網膜の前記第２の領域の方向に向けるように構成されている、付記７９に記載の光調整素子。
〔付記８１〕
前記光調整素子が、前面に内縁及び外縁を備える光チャンネルを含み、前記光調整素子が、前記光チャンネルの前記内縁から射出する光のほとんどを方向付けて、前記光調整素子の中心軸に対して＋１０度〜−３０度の第１の角度で伝搬するように構成されている、付記７１に記載の光調整素子。
〔付記８２〕
前記光調整素子が、前面に内縁及び外縁を備える光チャンネルを含み、前記光調整素子が、前記光チャンネルの前記内縁から射出する光の７０％超を方向付けて、前記光調整素子の中心軸に対して＋１０度〜−３０度の第１の角度で伝搬するように構成されている、付記７１に記載の光調整素子。
〔付記８３〕
前記光調整素子が、前面に内縁及び外縁を備える光チャンネルを含み、前記光調整素子が、前記光チャンネルの前記内縁から射出する光の８０％超を方向付けて、前記光調整素子の中心軸に対して＋１０度〜−３０度の第１の角度で伝搬するように構成されている、付記７１に記載の光調整素子。
〔付記８４〕
前記光調整素子が、前面に内縁及び外縁を備える光チャンネルを含み、前記光調整素子が、前記光チャンネルの前記外縁から射出する光のほとんどを、前記光調整素子の中心軸に対して−３０度〜−９０度の第２の角度で方向付けるように構成されている、付記７１に記載の光調整素子。
〔付記８５〕
前記光調整素子が、前面に内縁及び外縁を備える光チャンネルを含み、前記光調整素子が、前記光チャンネルの前記外縁から射出する光の７０％超を、前記光調整素子の中心軸に対して−３０度〜−９０度の第２の角度に方向付けるように構成されている、付記７１に記載の光調整素子。
〔付記８６〕
前記光調整素子が、光の１５％未満を、前記光学的撮像システムの前記光軸から２ｍｍの距離以内で前記光学窓の前記前凹面に入射させるように、構成されている、付記７１に記載の光調整素子。
〔付記８７〕
前記光調整素子が、前記光の１５％未満を、中心軸から２ｍｍの直径で、前記光調整素子の前記前面から３ｍｍ〜６ｍｍの距離で、中心領域に入射させるように、構成されている、付記７１に記載の光調整素子。
〔付記８８〕
ハウジングと；
眼の異なる部分を時間的に順次に照明するように構成された複数の発光素子を含む、前記ハウジング内に配置された光源と；
前記ハウジング内にある光学的撮像システムであって：
前記ハウジングの前端の光学窓；
前記光学窓の後ろ側に位置決めされ且つ前記光学窓と光学的に整列された撮像レンズ
を含む光学的撮像システムと；
前記眼の各部分が時間的に順次に照明される間に、前記光学的撮像システムを通して同じ視野での、前記眼の複数の像を受信するように構成された画像センサーと
を含む眼撮像装置。
〔付記８９〕
画像を一時的に記憶するように構成されたメモリ、前記画像を受信且つ送信するように構成された計算・通信ユニットをさらに含む、付記８８に記載の眼撮像装置。
〔付記９０〕
前記光学窓の周辺部分の後ろ側に位置決めされ、前記光源から光を受け且つ光を前記眼の方向に向けるように構成された、少なくとも１つのマルチセグメント面を含む光調整素子をさらに含む、付記８８に記載の眼撮像装置。
〔付記９１〕
前記複数の画像から前記眼の合成画像を作成するように構成された画像処理ユニットをさらに含む、付記８８に記載の眼撮像装置。
〔付記９２〕
画像処理ユニットが、前記複数の画像を整列させるように構成されている、付記９１に記載の眼撮像装置。
〔付記９３〕
画像処理ユニットが、参照画像を使用することによって、前記複数の画像を整列させるように構成されている、付記９２に記載の眼撮像装置。
〔付記９４〕
前記画像処理ユニットが、前記合成画像を作成する為に、前記複数の画像の異なる画像に関して前記画像の不鮮明な部分を除去し且つ前記画像の鮮明な部分を保存するように構成されている、付記９１に記載の眼撮像装置。
〔付記９５〕
前記画像処理ユニットが、前記合成画像を作り出す為に、前記複数の画像を組み合わせるように構成されている、付記９１に記載の眼撮像装置。
〔付記９６〕
前記画像処理ユニットが、前記画像の明るさを調整して、前記合成画像の明るさの均一性を増すように構成されている、付記９１に記載の眼撮像装置。
〔付記９７〕
ハウジングと；
前記ハウジング内に配置されて眼を照明する光源と；
光学的撮像システムであって：
前記ハウジングの前端の、前記眼の角膜の曲率に厳密に一致する曲率半径を備える光学窓、
前記光学窓と光学的に整列された撮像レンズであって、前記光学窓の後ろ側に且つ間隙によって離れて位置決めされた撮像レンズ、
少なくとも第１及び第２のリレーレンズ、及び
前記少なくとも第１及び第２のリレーレンズから受けた光に基づいて前記眼の前記像を形成するように構成された、５ｍｍ未満のクリアな開口サイズを備える少なくとも１つのミニチュアレンズ
を含む光学的撮像システムと；
前記少なくとも１つのミニチュアレンズによって形成された前記眼の前記像を受信するように構成された、１／１．５インチ未満のフォーマットを備える超小型画像センサー
を含む小型眼撮像装置。
〔付記９８〕
前記少なくとも１つのミニチュアレンズが複数のミニチュアレンズを含み、及び前記光学的撮像システムの開口絞りが前記ミニチュアレンズ間に配置されている、付記９７に記載の小型眼撮像装置。
〔付記９９〕
前記光学的撮像システムの開口絞りが、前記少なくとも１つのミニチュアレンズの前側に位置決めされている、付記９７に記載の小型眼撮像装置。
〔付記１００〕
前記撮像レンズが、前記光学窓から、０．５ｍｍ未満の距離だけ離間している、付記９７に記載の小型眼撮像装置。
〔付記１０１〕
眼撮像装置を含む眼撮像システムであって、前記眼撮像装置が：
ハウジングと、
眼の異なる部分を時間的に順次に照明するように構成された複数の発光素子を含む、前記ハウジング内に配置された光源と、
光学的撮像システムであって：
前記ハウジングの前端の光学窓、
前記光学窓の後ろ側に位置決めされ且つ前記光学窓と光学的に整列された撮像レンズ
を含む光学的撮像システムと、
前記眼の各部分が時間的に順次に照明される間に、前記光学的撮像システムを通して同じ視野での、前記眼の複数の像を受信するように構成された画像センサーと、
複数の画像を一時的に記憶するように構成されたメモリと、
前記複数の画像を受信し且つ送信するように構成された計算・通信ユニットと；
前記眼撮像装置から前記複数の画像を受信し且つそれとデータを交換するように構成された画像計算モジュールであって、前記複数の画像を処理して前記眼の合成画像を作り出す為の１組の指示を生成するように構成された画像処理ユニットを含む画像計算モジュールと
を含む、眼撮像システム。
〔付記１０２〕
前記計算・通信ユニットが、前記画像を表示するように構成されたタッチスクリーンディスプレイを含む、付記１０１に記載の眼撮像システム。
〔付記１０３〕
前記画像処理ユニットが、前記複数の画像を整列させるように構成されている、付記１０１に記載の眼撮像システム。
〔付記１０４〕
画像処理ユニットが、参照画像を使用して前記複数の画像を整列させるように構成されている、付記１０１に記載の眼撮像システム。
〔付記１０５〕
画像処理ユニットが、合成画像を形成する為に、前記複数の画像の異なる画像に関して前記画像の不鮮明な部分を除去し且つ前記画像の鮮明な部分を保存するように構成されている、付記１０１に記載の眼撮像システム。
〔付記１０６〕
前記画像処理ユニットが、前記複数の画像を組み合わせて前記合成画像を作り出すように構成されている、付記１０１に記載の眼撮像システム。
〔付記１０７〕
前記画像処理ユニットが、前記画像の明るさを調整して、前記合成画像の明るさの均一性を高めるように構成されている、付記１０１に記載の眼撮像システム。
〔付記１０８〕
前記眼撮像装置が、前記光学窓の周辺部分の後ろ側に位置決めされ、前記光源から光を受け且つ光を前記眼の方向に向けるように構成された、マルチセグメント面を備える光調整素子をさらに含む、付記１０１に記載の眼撮像システム。
〔付記１０９〕
眼の撮像方法であって：
光源を作動させて眼を照明するステップと；
前記眼の角膜に光学窓を接触させるステップと；
少なくとも１つのマルチセグメント面を有する光調整素子であって、前記光源から光を受け且つ光を前記眼の方向に向けるように構成されている光調整素子によって、前記光源から受けた光を調整するステップと；
前記光学窓と、前記光学窓の後ろ側に位置決めされ且つ前記光学窓と光学的に整列された撮像レンズとを含む光学的撮像システムを通して前記眼を撮像するステップと；
画像センサーによって、前記光学的撮像システムを通して前記眼の像を受信するステップと
を含む方法。
〔付記１１０〕
少なくとも１つのマルチセグメント面を有する前記光調整素子が、前記光源からの前記光を、前記マルチセグメント面の異なるセグメントによって、異なる部分に分割する、付記１０９に記載の眼の撮像方法。
〔付記１１１〕
マルチセグメント反射面を備える前記光調整素子が、光のほとんどを、前記光調整素子の光チャンネルの内縁から、前記光学的撮像システムの光軸を含む前記眼の網膜の第１の領域の方向に向けるように構成されており、前記第１の領域は、前記光学的撮像システムの前記視野の３分の１を含む、付記１０９に記載の眼の撮像方法。
〔付記１１２〕
マルチセグメント反射面を備える前記光調整素子が、光のほとんどを、前記光チャンネルの外縁から、前記光軸から離れ且つ前記光チャンネルの前記外縁から前記光軸の反対側にある前記眼の網膜の第２の領域の方向に向けるように構成されており、前記第２の領域は、前記光軸から、前記撮像システムの前記視野の３分の２よりも遠い、付記１０９に記載の眼の撮像方法。
〔付記１１３〕
マルチセグメント反射面を備える前記光調整素子が、光の１５％未満を、前記光学的撮像システムの前記光軸から２ｍｍの距離以内で前記光学窓の前凹面に入射させるように方向付けるように構成されている、付記１０９に記載の眼の撮像方法。
〔付記１１４〕
前記光源が複数の発光素子を含む、付記１０９に記載の眼の撮像方法。
〔付記１１５〕
前記複数の発光素子のそれぞれの強度を、時間と共に変化させることをさらに含む、付記１１４に記載の眼の撮像方法。
〔付記１１６〕
前記光源からの光を、複数の照明素子を通して前記光調整素子の方向に向けることをさらに含み、前記照明素子は、リング状の器具上に均等に分布されている、付記１０９に記載の眼の撮像方法。
〔付記１１７〕
前記複数の照明素子が複数の光ファイバー束を含む、付記１１６に記載の眼の撮像方法。
〔付記１１８〕
前記光源を連続的に作動させることを含む、付記１０９に記載の眼の撮像方法。
〔付記１１９〕
前記画像センサーの前記シャッターが開放しているとき、前記光源を作動させることを含む、付記１０９に記載の眼の撮像方法。
〔付記１２０〕
順次に照明するように構成された眼の撮像方法であって：
複数の発光素子の強度を時間と共に変更して、眼の異なる部分を照明するステップと；
前記眼の角膜に接触するように構成された光学窓と、前記光学窓の後ろ側に位置決めされ且つ前記光学窓と光学的に整列された撮像レンズとを含む光学的撮像システムを通して前記眼を撮像するステップと；
画像センサーによって前記眼の各部分が時間的に順次に照明される間に、前記光学的撮像システムを通して同じ視野での、前記眼の複数の像を受信するステップと；
前記複数の画像を処理して、前記複数の画像から前記眼の合成画像を作り出すステップと
を含む方法。
〔付記１２１〕
前記複数の画
像の処理が、前記複数の画像を正確に整列させることを含む、付記１２０に記載の眼の撮像方法。
〔付記１２２〕
前記複数の画像の処理が、参照画像を使用して前記複数の画像を整列させることを含み、前記参照画像は、前記光学的撮像システムを通して同じ視野で受信される、付記１２０に記載の眼の撮像方法。
〔付記１２３〕
前記複数の画像の処理が、前記複数の画像の異なる画像に関して前記画像の不鮮明な部分を除去し且つ前記画像の鮮明な部分を保存することを含む、付記１２０に記載の眼の撮像方法。
〔付記１２４〕
前記複数の画像の処理が、前記複数の画像の異なる画像からの鮮明な部分を組み合わせて、前記眼の合成画像を作り出す、付記１２０に記載の眼の撮像方法。
〔付記１２５〕
前記複数の画像の処理が、前記画像の明るさを調整して、前記合成画像の明るさの均一性を高めることを含む、付記１２０に記載の眼の撮像方法。
〔付記１２６〕
ハウジングと；
前記ハウジング内に配置されて眼を照明する光源と；
光学的撮像システムであって：
前記眼の角膜の曲率半径に厳密に一致する曲率半径を備える、前記ハウジングの前端にある光学窓；
前記光学窓の後ろ側に位置決めされ及び前記光学窓と光学的に整列された撮像レンズ
を含む光学的撮像システムと；
前記光学窓の前記周辺部分の後ろ側に位置決めされ前記光源から光を受け且つ光を前記眼の方向に向けるように構成された光調整素子と；
前記光学的撮像システムを通して、前記眼の第１の像及び第２の像を撮るように構成された第１のカメラ及び第２のカメラと
を含み、
前記第１のカメラの第１の光軸の延長線及び前記第２のカメラの第２の光軸の延長線が、前記眼上に収束角で収束する、立体眼撮像装置。
〔付記１２７〕
前記光学的撮像システムが、第１のリレーレンズ、第２の組のリレーレンズをさらに含み、及び前記第１及び第２のカメラが、それぞれ、第１の画像センサー及び第２の画像センサーに光を送るように構成された少なくとも１つの第１のミニチュアレンズ及び少なくとも１つの第２のミニチュアレンズを含み、前記少なくとも１つの第１のミニチュアレンズ及び前記少なくとも１つの第２のミニチュアレンズは、５ｍｍ未満の開口を有し、前記第１の画像センサー及び前記第２の画像センサーは、それぞれ、１／１．５インチ未満のサイズのフォーマットを有する、付記１２６に記載の立体眼撮像装置。
〔付記１２８〕
前記光学的撮像システムが、前記第２のリレーレンズと前記第１及び第２のカメラとの間のそれぞれの光路に配置されたビームスプリッターをさらに含み、前記第１のカメラの前記第１の光軸及び前記第２のカメラの前記第２の光軸は平行であり、且つ前記第２のリレーレンズと前記ビームスプリッターとの間の領域にある距離だけ離れている、付記１２７に記載の立体眼撮像装置。
〔付記１２９〕
前記光学窓、前記撮像レンズ及び前記光調整素子が、取り外し可能な前側撮像モジュール内に位置決めされ、前記第１のカメラ及び前記第２のカメラは、主モジュール内に位置決めされ、前記取り外し可能な前側撮像モジュールは、前記主モジュールに繰り返し接続し且つそこから切り離すことができる、付記１２６に記載の立体眼撮像装置。
〔付記１３０〕
前端を備えるハウジングと；
前記ハウジング内に配置されて眼を照明する光源と；
光学的撮像システムであって：
前記前端に、前記眼を受け入れる為の前凹面を備える光学窓；
前記光学窓の後方に配置され且つ光学的な撮像経路に沿って前記光学窓と光学的に整列されている撮像レンズ
を含み、前記光学的撮像システムが光軸を有する、光学的撮像システムと；
密閉シーリング材料で埋められた、前記光学窓と前記前端との間の密閉シールと；
前記光学的撮像システムから前記眼の像を受信するように配置された、前記ハウジング内にある画像センサーと
を含む、密閉封止された眼撮像装置。
〔付記１３１〕
前記密閉シーリング材料がセラミックを含む、付記１３０に記載の密閉封止された眼撮像装置。
〔付記１３２〕
前記密閉シーリング材料が金属を含む、付記１３０に記載の密閉封止された眼撮像装置。
〔付記１３３〕
前記密閉シーリング材料がエポキシを含む、付記１３０に記載の密閉封止された眼撮像装置。
〔付記１３４〕
前記密閉シーリング材料がＵＶ硬化性アクリル接着剤を含む、付記１３０に記載の密閉封止された眼撮像装置。
〔付記１３５〕
前記光学窓の周辺部分の後ろ側に位置決めされ、前記光源から光を受け及び前記光を前記眼の方向に向けるように構成された少なくとも１つのマルチセグメント面を含む、前記ハウジング内にある光調整素子をさらに含む、付記１３０に記載の密閉封止された眼撮像装置。
〔付記１３６〕
前記ハウジングの前記前端が、前記光学窓の輪郭に適合するような形状及びサイズにされている、付記１３０に記載の密閉封止された眼撮像装置。
〔付記１３７〕
前記ハウジングが、前記前端に配置されたアライメント縁及びリザバー縁を含む内側面をさらに含み、前記光学窓は、前記アライメント縁から第１の間隙で離れており、前記光学窓は、前記第１の間隙よりも大きい第２の間隙で前記リザバー縁から離れており、シーリング材料のリザバーとなるように構成されており、前記光学窓は、前記撮像レンズから第３の間隙で離れている、付記１３０に記載の密閉封止された眼撮像装置。
〔付記１３８〕
前記第３の間隙が空気で満たされている、付記１３７に記載の密閉封止された眼撮像装置。
〔付記１３９〕
前記第３の間隙が、光学的に透明な弾性材料で埋められている、付記１３７に記載の密閉封止された眼撮像装置。
〔付記１４０〕
前記アライメント縁が前記光学窓の側面に平行である、付記１３７に記載の密閉封止された眼撮像装置。
〔付記１４１〕
前記リザバー縁が前記光学窓の側面に平行である、付記１３７に記載の密閉封止された眼撮像装置。
〔付記１４２〕
前記光学窓の前面が前記ハウジングから完全に露出している、付記１３７に記載の密閉封止された眼撮像装置。
〔付記１４３〕
前記内側面が、前記第２の間隙よりもわずかに大きい直径を備えていて、前記第２の間隙を拡大させるように配置された複数のボアと、前記複数のボアの内側に配置された複数の玉とをさらに含む、付記１３７に記載の密閉封止された眼撮像装置。
〔付記１４４〕
前記ハウジングが、前記光学窓の周りに、第１の材料を含む遠位セクションと、第２の材料を含む近位セクションとをさらに含む、付記１３０に記載の密閉封止された眼撮像装置。
〔付記１４５〕
前記第１の材料が前記第２の材料と同じである、付記１４４に記載の密閉封止された眼撮像装置。
〔付記１４６〕
前記遠位セクションが、前記近位セクションと直接溶接されている、付記１４４に記載の密閉封止された眼撮像装置。
〔付記１４７〕
前記遠位セクションと前記近位セクションとの間の接続部が、密閉シーリング材料で埋められている、付記１４４に記載の密閉封止された眼撮像装置。
〔付記１４８〕
前記第１の材料が前記第２の材料とは異なる、付記１４４に記載の密閉封止された眼撮像装置。
〔付記１４９〕
前記遠位セクションと前記近位セクションとの間の接合セクションをさらに含み、前記接合セクションは前記第２の材料を含み、前記遠位セクションは、爆発溶接によって前記接合セクションに溶接される、付記１４４に記載の密閉封止された眼撮像装置。
〔付記１５０〕
前端を備えるハウジングであって
前記前端に配置されたアライメント縁及びリザバー縁を含む内側面
を含むハウジングと；
前記ハウジング内に配置されて眼を照明する光源と；
光学的撮像システムであって：
前記前端に、前記眼を受け入れる為の前凹面を備える光学窓；
前記光学窓の後方に配置され且つ光学的な撮像経路に沿って前記光学窓と光学的に整列された撮像レンズ
を含み、光軸を有する、光学的撮像システムと
前記光学的撮像システムから前記眼の像を受信するように配置された、前記ハウジング内にある画像センサーと
を含み、
前記光学窓は、前記アライメント縁から第１の間隙で離れており、
前記光学窓は、前記第１の間隙よりも大きい第２の間隙で前記リザバー縁から離れており、シーリング材料のリザバーとなるように構成されている、眼撮像装置。
〔付記１５１〕
前記ハウジングの前記前端が、前記光学窓の輪郭に適合するような形状及びサイズにされている、付記１５０に記載の眼撮像装置。
〔付記１５２〕
前記シーリング材料がエポキシを含む、付記１５０に記載の眼撮像装置。
〔付記１５３〕
前記シーリング材料がＵＶ硬化性アクリル接着剤を含む、付記１５０に記載の眼撮像装置。
〔付記１５４〕
前記アライメント縁が前記光学窓の側面に平行である、付記１５０に記載の眼撮像装置。
〔付記１５５〕
前記リザバー縁が前記光学窓の側面に平行である、付記１５０に記載の眼撮像装置。
〔付記１５６〕
前記光学窓の前面が前記ハウジングから完全に露出している、付記１５０に記載の眼撮像装置。
〔付記１５７〕
前記光学窓の周辺部分の後ろ側に位置決めされ、前記光源から光を受け且つ前記光を前記眼の方向に向けるように構成された少なくとも１つのマルチセグメント面を含む、前記ハウジング内にある光調整素子をさらに含む、付記１５０に記載の眼撮像装置。
〔付記１５８〕
前記内側面が、前記第２の間隙よりもわずかに大きい直径を備えていて、前記第２の間隙を拡大させるように配置された複数のボアと、前記複数のボアの内側に配置された複数の玉とをさらに含む、付記１５０に記載の眼撮像装置。
〔付記１５９〕
前記シーリング材料が密閉シーリング材料を含む、付記１５０に記載の眼撮像装置。
〔付記１６０〕
前記密閉シーリング材料が金属を含む、付記１５９に記載の眼撮像装置。
〔付記１６１〕
前記密閉シーリング材料がセラミックを含む、付記１５９に記載の眼撮像装置。
〔付記１６２〕
前記光学窓が、前記撮像レンズから第３の間隙で離れている、付記１５０に記載の眼撮像装置。
〔付記１６３〕
前記第３の間隙が空気で満たされている、付記１６２に記載の眼撮像装置。
〔付記１６４〕
前記第３の間隙が、光学的に透明な弾性材料で埋められている、付記１６２に記載の眼撮像装置。
〔付記１６５〕
前記ハウジングが、前記光学窓の周りに、第１の材料を含む遠位セクションと、第２の材料を含む近位セクションとをさらに含む、付記１５０に記載の眼撮像装置。
〔付記１６６〕
前記第１の材料が前記第２の材料と同じである、付記１６５に記載の眼撮像装置。
〔付記１６７〕
前記遠位セクションが、前記近位セクションに直接溶接されている、付記１６５に記載の眼撮像装置。
〔付記１６８〕
前記遠位セクションと前記近位セクションとの間の接続部が、密閉シーリング材料で埋められている、付記１６５に記載の眼撮像装置。
〔付記１６９〕
前記第１の材料が前記第２の材料とは異なる、付記１６５に記載の眼撮像装置。
〔付記１７０〕
前記遠位セクションと前記近位セクションとの間の接合セクションをさらに含み、前記接合セクションは前記第２の材料を含み、前記遠位セクションは、爆発溶接によって前記接合セクションに溶接されている、付記１６５に記載の眼撮像装置。
〔付記１７１〕
前端を備えるハウジングであって
前記前端付近に配置されたアライメント縁及びリザバー縁を含む内側面
を含むハウジングと；
前記ハウジング内に配置されて眼を照明する光源と；
光学的撮像システムであって：
前記前端に、前記眼を受け入れる為の前凹面を備える光学窓；
前記光学窓の後方に配置され且つ光学的な撮像経路に沿って前記光学窓と光学的に整列された撮像レンズ
を含み、光軸を有する、光学的撮像システムと；
前記ハウジングと前記光学窓との間に配置された複数の玉と
前記光学的撮像システムから前記眼の像を受信するように配置された、前記ハウジング内にある画像センサーと
を含み、
前記光学窓は、前記アライメント縁から第１の間隙で離れており、
前記光学窓は、前記第１の間隙よりも大きい第２の間隙で前記リザバー縁から離れており、シーリング材料のリザバーとなるように構成されている、眼撮像装置。
〔付記１７２〕
前記内側面に複数のボアをさらに含み、前記複数の玉は前記ボアに配置されており、前記複数のボアの直径は、前記第２の間隙よりもわずかに大きい、付記１７１に記載の眼撮像装置。
〔付記１７３〕
前記内側面に複数のボアをさらに含み、前記複数の玉は前記ボアに配置されており、前記複数のボアは、前記複数の玉と前記光学窓との間に第４の間隙を形成するように構成されており、前記第４の間隙は前記第１の間隙よりも小さい、付記１７１に記載の眼撮像装置。
〔付記１７４〕
前記ハウジングの前記前端が、前記光学窓の輪郭に適合するような形状及びサイズにされている、付記１７１に記載の眼撮像装置。
〔付記１７５〕
前記シーリング材料がエポキシを含む、付記１７１に記載の眼撮像装置。
〔付記１７６〕
前記シーリング材料がＵＶ硬化性アクリル接着剤を含む、付記１７１に記載の眼撮像装置。
〔付記１７７〕
前記アライメント縁が前記光学窓の側面に平行である、付記１７１に記載の眼撮像装置。
〔付記１７８〕
前記リザバー縁が前記光学窓の側面に平行である、付記１７１に記載の眼撮像装置。
〔付記１７９〕
前記光学窓の前面が、前記ハウジングから完全に露出している、付記１７１に記載の眼撮像装置。
〔付記１８０〕
前記光学窓の周辺部分の後ろ側に位置決めされ、前記光源から光を受け且つ前記光を前記眼の方向に向けるように構成された少なくとも１つのマルチセグメント面を含む、前記ハウジング内にある光調整素子をさらに含む、付記１７１に記載の眼撮像装置。
〔付記１８１〕
前記シーリング材料が密閉シーリング材料を含む、付記１７１に記載の眼撮像装置。
〔付記１８２〕
前記密閉シーリング材料が金属を含む、付記１８１に記載の眼撮像装置。
〔付記１８３〕
前記密閉シーリング材料がセラミックを含む、付記１８１に記載の眼撮像装置。
〔付記１８４〕
前記光学窓が、前記撮像レンズから第３の間隙で離れている、付記１７１に記載の眼撮像装置。
〔付記１８５〕
前記第３の間隙が空気で満たされている、付記１８４に記載の眼撮像装置。
〔付記１８６〕
前記第３の間隙が、光学的に透明な弾性材料で埋められている、付記１８４に記載の眼撮像装置。
〔付記１８７〕
前記ハウジングが、前記光学窓の周りに、第１の材料を含む遠位セクションと、第２の材料を含む近位セクションとをさらに含む、付記１７１に記載の眼撮像装置。
〔付記１８８〕
前記遠位セクションと前記近位セクションとの間の接合セクションをさらに含み、前記接合セクションは前記第２の材料を含み、前記遠位セクションは、爆発溶接によって前記接合セクションに溶接されている、付記１８７に記載の眼撮像装置。
〔付記１８９〕
前端を備えるハウジングであって、
光学窓の周りの、第１の材料を含む遠位セクション；
第２の材料を含む近位セクション；
ボンドであって、前記遠位セクションが前記ボンドによって前記近位セクションに接続されている、ボンド
を含むハウジングと；
前記ハウジング内に配置されて眼を照明する光源と；
光学的撮像システムであって：
前記前端に、前記眼を受け入れる為の前凹面を備える前記光学窓；
前記光学窓の後方に配置され且つ光学的な撮像経路に沿って前記光学窓と光学的に整列された撮像レンズ
を含み、光軸を有する、光学的撮像システムと；
前記光学的撮像システムから前記眼の像を受信するように配置された、前記ハウジング内にある画像センサーと
を含む眼撮像装置。
〔付記１９０〕
前記第１の材料が前記第２の材料と同じである、付記１８３に記載の眼撮像装置。
〔付記１９１〕
前記ボンドが、前記遠位セクションと前記近位セクションとの間を直接溶接する、付記１８４に記載の眼撮像装置。
〔付記１９２〕
前記ボンドが、密閉シーリング材料で埋められた、前記遠位セクションと前記近位セクションとの間の接続部である、付記１８４に記載の眼撮像装置。
〔付記１９３〕
前記第１の材料が前記第２の材料とは異なる、付記１８３に記載の眼撮像装置。
〔付記１９４〕
前記ボンドが、前記遠位セクションと前記近位セクションとの間の接合セクションを含み、前記接合セクションが前記第２の材料を含み、前記遠位セクションが、爆発溶接によって前記接合セクションに溶接されている、付記１８７に記載の眼撮像装置。
〔付記１９５〕
密閉封止された取り外し可能な前側撮像モジュールを備える、密閉封止された眼撮像装置であって：
ハウジングと；
前記ハウジング内に配置されて眼を照明する光源と；
前端及び後端を含む、密閉封止された取り外し可能な前側撮像モジュールであって：
光学的撮像システムであって：
前記前端に、前記眼を受け入れる為の前凹面を備える第１の光学窓；
前記光学窓の後方に配置され、且つ光学的な撮像経路に沿って前記光学窓と光学的に整列された撮像レンズ
を含む光学的撮像システム；
第１の密閉シーリング材料で埋められた、前記第１の光学窓と前記前端との間の第１の密閉シール；
前記後端にある第２の光学窓、
第２の密閉シーリング材料で埋められた、前記第２の光学窓と前記後端との間の第２の密閉シール
を含む前側撮像モジュールと；
主モジュールであって
前記光学的撮像システムから前記眼の像を受信するように配置された、前記ハウジング内にある画像センサー
を含む主モジュールと
を含み、
前記密閉封止された取り外し可能な前側撮像モジュールは、前記主モジュールに繰り返し取り付けたりそこから取り外したりできる、眼撮像装置。
〔付記１９６〕
前記第１の密閉シーリング材料がセラミックを含む、付記１９５に記載の密閉封止された眼撮像装置。
〔付記１９７〕
前記第１の密閉シーリング材料が金属を含む、付記１９５に記載の密閉封止された眼撮像装置。
〔付記１９８〕
前記第２の密閉シーリング材料がセラミックを含む、付記１９５に記載の密閉封止された眼撮像装置。
〔付記１９９〕
前記第２の密閉シーリング材料が金属を含む、付記１９５に記載の密閉封止された眼撮像装置。
〔付記２００〕
前記光学窓の周辺部分の後ろ側に位置決めされ、前記光源から光を受け及び前記光を前記眼の方向に向けるように構成された少なくとも１つのマルチセグメント面を含む、前記ハウジング内にある光調整素子をさらに含む、付記１９５に記載の密閉封止された眼撮像装置。
〔付記２０１〕
前記ハウジングが、前記前端に配置されたアライメント縁及びリザバー縁を含む内側面をさらに含み、前記第１の光学窓は、前記アライメント縁から第１の間隙で離れており、前記第１の光学窓は、前記第１の間隙よりも大きい第２の間隙で前記リザバー縁から離れており、シーリング材料のリザバーとなるように構成されている、付記１９５に記載の密閉封止された眼撮像装置。
〔付記２０２〕
前記アライメント縁が前記光学窓の側面に平行である、付記２０１に記載の密閉封止された眼撮像装置。
〔付記２０３〕
前記リザバー縁が前記光学窓の側面に平行である、付記２０１に記載の密閉封止された眼撮像装置。
〔付記２０４〕
前記光学窓の前面が、前記ハウジングから完全に露出している、付記２０１に記載の密閉封止された眼撮像装置。
〔付記２０５〕
前記内側面が、前記第２の間隙よりもわずかに大きい直径を備えていて、前記第２の間隙を拡大させるように配置された複数のボアと、前記複数のボアの内側に配置された複数の玉とをさらに含む、付記２０１に記載の密閉封止された眼撮像装置。
〔付記２０６〕
前記ハウジングが、前記光学窓の周りに、第１の材料を含む遠位セクションと、第２の材料を含む近位セクションとをさらに含む、付記１９５に記載の密閉封止された眼撮像装置。
〔付記２０７〕
前記第１の材料が前記第２の材料とは異なる、付記２０６に記載の密閉封止された眼撮像装置。
〔付記２０８〕
前記遠位セクションと前記近位セクションとの間の接合セクションをさらに含み、前記接合セクションは前記第２の材料を含み、前記遠位セクションは、爆発溶接によって前記接合セクションに溶接されている、付記２０６に記載の密閉封止された眼撮像装置。
〔付記２０９〕
前端を備えるハウジングであって、
前記前端に配置されたアライメント縁及びリザバー縁を含む内側面
を含むハウジングと；
前記ハウジング内に配置されて眼を照明する光源と；
光学的撮像システムであって：
前記前端に、前記眼を受け入れる為の前凹面を備える光学窓；
前記光学窓の後方に配置され且つ光学的な撮像経路に沿って前記光学窓と光学的に整列された撮像レンズ
を含み、光軸を有する、光学的撮像システムと；
前記光学的撮像システムから前記眼の像を受信するように配置された、前記ハウジング内にある画像センサーと
を含み、
前記アライメント縁は、前記光学窓の側面に対して垂直であり、
前記光学窓は、ある間隙で前記リザバー縁から離れており、シーリング材料のリザバーとなるように構成されている、眼撮像装置。
〔付記２１０〕
前記シーリング材料がエポキシを含む、付記２０９に記載の眼撮像装置。
〔付記２１１〕
前記シーリング材料がＵＶ硬化性アクリル接着剤を含む、付記２０９に記載の眼撮像装置。
〔付記２１２〕
前記光学窓が、非密閉シールによって前記ハウジングに密封される、付記２０９に記載の眼撮像装置。